(57)【要約】迫撃弾（１）を兵器の砲身（２）内に支持する支持体、及びこの支持体（６）を迫撃弾（１）の尾部（４）に取り付ける方法。支持体（６）は、リムフランジ（７）及び撃発機構（１５）を設けた支持部材（８）を備えている。支持部材（８）は、１つまたは複数の取付部材（１０）によって迫撃弾（１）のガイドフィン（５）の前リム（２３）に当接した状態に支持される。取付部材（１０）は、撃発された迫撃弾（１）を支持体（６）から離脱させることができる所定の変形可能な点を有する。
2005530982.tif 000002
【特許請求の範囲】
【請求項１】
迫撃弾を後装式兵器の砲身内に支持する支持体であって、
リムフランジ、及び前記迫撃弾の実際の雷管に点火する撃発機構を設けた支持部材と、
該支持部材を前記迫撃弾の尾部に配置された少なくとも１つのガイドフィンに取り付けるための少なくとも１つの取付部材とを備え、
該取付部材は、少なくとも１つの長手シャフトを有し、該長手シャフトは、前記迫撃弾に対してほぼ長手方向に順応可能であり、そして、前記長手シャフトの第１端部は前記支持部材で支持可能であり、
前記取付部材の前記長手シャフトの第２端部は、前記迫撃弾の長手軸線に直角の支持部分を有し、これにより、前記取付部材を前記ガイドフィンの前面に支持し、
前記取付部材は、撃発された迫撃弾を前記支持体から離脱させることができる少なくとも１つの所定の変形可能な点を有する、支持体。
【請求項２】
前記取付部材は、所定の脆弱点を有し、前記取付部材は、前記迫撃弾の撃発によって生じる力の作用によって前記脆弱点で破断するように構成されている、請求項１に記載の支持体。
【請求項３】
前記変形可能な点は、前記支持部分内に配置されており、
前記変形可能な点の断面積は、前記取付部材の他の部分の断面積より小さい、請求項１に記載の支持体。
【請求項４】
前記取付部材の前記支持部分または長手シャフトは、前記迫撃弾の撃発によって生じる力の作用によって互いに対して曲がって、前記取付部材及びガイドフィン間の取り付け状態を解除するように構成されている、請求項１に記載の支持体。
【請求項５】
前記取付部材の前記長手シャフトは、長手方向の第１シャフト部分及び第２シャフト部分を有し、
前記第１及び第２シャフト部分の前記第２端部は、横方向支持部分によって互いに結合され、前記取付部材は、少なくとも１つのガイドフィンの周囲に順応可能なループを形成する、請求項１に記載の支持体。
【請求項６】
前記取付部材の前記長手シャフト及び支持部分は、前記取付部材の一端部にほぼＴ字形に配置されており、これにより、前記長手シャフトは、隣接した２つのガイドフィン間に順応可能であり、前記支持部分は、前記隣接したガイドフィンの前面に当接することができる、請求項１に記載の支持体。
【請求項７】
さらに、少なくとも１つの取付部材を前記支持部材に支持するための支持リングを備え、
該支持リングは、前面、後面及び第１ねじを切った中央穴を有し、
前記支持リングの前記前面は、前記迫撃弾の前記尾部の後面側に順応可能であり、
前記取付部材の前記第１端部には、前記支持リングの前記後面に当接して支持可能な少なくとも１つの横部分が備えられており、
前記支持部材の長手軸線に沿って、前面及び第２ねじを切った外周を有するスリーブが設けられており、
前記支持部材の前記スリーブは、前記支持リングの前記中央穴に嵌め込み可能であり、それにより、前記スリーブの前記前面は、前記迫撃弾の前記尾部の前記後面に当接して前記支持リング及び前記取付部材を後方に引き、それによって該支持体を前記迫撃弾の前記尾部に締め付けるように構成されている、請求項１に記載の支持体。
【請求項８】
前記支持リングは、該支持リングを前記迫撃弾の前記尾部の前記ガイドフィンに対して所定位置に位置決めするための第１位置決め部材を有し、
前記支持リングの前記外周は、各取付部材を前記支持リングに対して所定位置に位置決めするための第２位置決め部材を有する、請求項７に記載の支持体。
【請求項９】
支持体を迫撃弾に取り付ける方法であって、
リムフランジ及び撃発機構を備えた支持部材を有する前記支持体を前記迫撃弾の尾部に取り付けること、及び、
前記支持部材を前記迫撃弾の前記尾部の少なくとも１つのガイドフィンの前面に、前記支持部材及び前記前面間に配置された少なくとも１つの取付部材によって支持すること、
を含む方法。
【請求項１０】
ほぼループ形の取付部材を少なくとも１つのガイドフィンの周囲に順応させることを含む、請求項９に記載の方法。
【発明の詳細な説明】
【技術分野】
【０００１】
本発明は、迫撃弾を後装式兵器の砲身内に支持する支持体に関する。支持体は、リムフランジ及び迫撃弾の実際の雷管に点火する撃発機構を有する支持部材を備えている。支持体は、さらに、支持部材を迫撃弾の尾部に配置された少なくとも１つのガイドフィンに取り付けるための手段を備えている。本発明は、支持体を迫撃弾に取り付ける方法にも関する。
【背景技術】
【０００２】
迫撃砲は、装甲車両などの可動ベース上に配置することができ、それにより、迫撃砲をあちこちへ都合よく移動させることができると共に、砲床から安全な場所へ迅速に移動させることができる。迫撃砲を鉛直または下方に向けた撃発に使用しようとする時、迫撃弾が迫撃砲の滑らかな砲身内の所定位置に留まらないで、砲身内を前方に滑り、それによって撃発することができなくなるという問題がある。米国特許第５，５０３，０８０号明細書は、摩擦によって迫撃弾の尾部フィンに取り付けることが可能な支持体を開示している。しかしながら、その特許明細書に教示されている摩擦結合では、支持体の十分に信頼できる取り付けが得られない。さらに、支持体及び尾部フィンには、製造による少なくともある程度の寸法の狂いがあり、これは取り付け力の大きさにばらつきを生じる。
【発明の開示】
【０００３】
本発明の目的は、迫撃弾を後装式兵器の砲身内に支持するための新規な改良形支持体、及びそのような支持体を取り付ける方法を提供することである。
【０００４】
［発明の簡単な説明］
本発明の支持体は、支持部材を取り付ける手段が、少なくとも１つの取付部材を備え、取付部材は、少なくとも１つの長手シャフトを有し、この長手シャフトは、迫撃弾に対してほぼ長手方向に順応可能であり、また、長手シャフトの第１端部は支持部材で支持可能であり、取付部材の長手シャフトの第２端部は、迫撃弾の長手方向軸線に直角の支持部分を有し、これにより、取付部材をガイドフィンの前面に支持することができ、そして、取付部材は、撃発された迫撃弾を支持体から離脱させることができる少なくとも１つの所定の変形可能な点を有することを特徴とする。
【０００５】
本発明の方法は、支持体を少なくとも１つのガイドフィンの前面に、支持部材及び前面間に配置された少なくとも１つの取付部材によって支持することを特徴とする。
【０００６】
本発明の本質的な着想は、リムフランジ及び撃発機構を備えた支持体を迫撃弾の尾部に取り付けることである。迫撃弾の尾部のガイドフィンの前リムは、支持体の取り付けに利用される。取り付けのため、支持体は、迫撃弾の長手方向の少なくとも１つのシャフト部分及び横方向支持部分を有する少なくとも１つの取付部材を備えている。この支持部分は、ガイドフィンの前リブに当接するように配置される。取付部材には、さらに、撃発中に変形し、それによって迫撃弾を支持体から離脱させることができるように構成された少なくとも１つの所定点が設けられている。
【０００７】
本発明では、迫撃弾の尾部への支持体の取り付けは、形状によるロック（shape locking）に基づき、この取り付けは、摩擦に基づいた取り付けより信頼性が高い。さらに、迫撃弾の製造のために予想される寸法のばらつきは、取り付け力の大きさ及び支持体の締め付けに対して摩擦によるロック式（friction-locked solution）の場合ほど重大な影響を及ぼさない。本発明の解決策では、取り付け力の管理が比較的容易である。本発明のさらなる利点は、困難な状況においても、支持体を迫撃弾の尾部に簡単かつ迅速に取り付けることができることである。
【０００８】
本発明の実施形態の本質的な着想は、迫撃弾の撃発時に破断または湾曲するように配置された脆弱点を取付部材に設けることである。脆弱化は、所定点に断面積を小さくした部分を配置することによって生じることができる。脆弱化により、取付部材が事前に予定された点で破断または湾曲して、変形が制御状態下で起きて、事前に予定された取り付け力より大きい力が取付部材に向けられるまで変形しないことが保証される。これにより、如何なる状況においても、取付部材またはそれの一部が撃発された迫撃弾に追従しないで、従って、後装式兵器を破損させないか、または迫撃弾の空気力学に影響を及ぼさないことが保証される。
【０００９】
本発明の本質的な着想は、少なくとも１つのガイドフィンを取り囲むループを形成するように取付部材を構成することである。
【００１０】
本発明の実施形態の本質的な着想は、長手シャフト及び支持部分が、取付部材の前端部にほぼＴ字形部分を形成することである。これにより、長手シャフトを、隣接した２つのガイドフィン間に配置することができ、横方向支持部分は、隣接したガイドフィンの前リムに当接した状態に支持することができる。
【００１１】
本発明の実施形態の本質的な着想は、支持体が、取付部材の後端部を支持する支持リングを備えて、支持リングを支持部材によって後方に引くことができることである。この場合、取付部材は、ガイドフィン及び支持リング間で所望の締まり具合まで締め付けることができる。
【発明を実施するための最良の形態】
【００１２】
次に、添付の図面で本発明を詳細に説明する。
【００１３】
分かり易くするため、図面は本発明を簡略化して示している。図面では、同様部品を同様な参照番号で示す。
【実施例１】
【００１４】
図１では、迫撃弾１が後装式兵器の砲身２内に配置されている。後装式兵器は迫撃砲にすることができ、砲身２の内表面は、ほぼ滑らかである。迫撃弾１の後部分に尾筒３及び尾部４が設けられている。尾部４は、迫撃弾１の軌道に影響を与える１つか、または一般的には幾つかのガイドフィン５を有する。迫撃弾１の構造の詳細は、図示の構造から逸脱するであろう。分かり易くするために、後装式兵器の砲尾（breech）及び他の詳細を示さない。尾部４に、迫撃弾１を撃発まで砲身２内の所定位置に保持するための本発明の支持体６が取り付けられている。砲身２が水平方向に向けられている時か、または砲身２が下向きである場合でも、支持体６内のリムフランジ７が、迫撃弾１が砲身２内を前方に移動するのを防止する。支持体６は、迫撃弾１の質量に起因する荷重だけでなく、振動及び加速よって生じるいずれの力にも耐えるように寸法が定められている。
【００１５】
次に、図２及び図３を参照しながら、本発明に従った支持体６の構造を説明する。図２は、支持体６の部品を分解して示し、図３は、組み立てられて、迫撃弾１内に据え付けられた構造を示す。図２及び図３に示されている支持体６は、支持部材８と、支持リング９と、２つの取付部材１０とを備えている。取付部材１０の数は、必要な取り付け力及びガイドフィン５の数に応じて選択することができることは明らかである。
【００１６】
支持部材８は、端部１１、外側マントル１２及びリムフランジ７を有する。支持部材８は、長手軸線Ａ上にスリーブ１３を備えている。スリーブの外周には、ねじ１４が切られている。スリーブの内側には、撃発機構１５が配置され、この撃発機構は中間砲針（intermediate firing pin）を有する。後装式兵器の砲針は、この中間砲針を介して迫撃弾１の雷管を打撃して、迫撃弾１の推進装填材料（propelling charge）に点火するように配置することができる。当然ながら、当該技術分野では、既知の他の撃発機構を適用することができる。撃発機構１５用に、スリーブ１３の内径にねじを切って、撃発機構１５をスリーブ１３内に取り外し可能に駆動できるようにしてもよい。支持部材８内の外側マントル１２は、迫撃弾１の尾部４の少なくとも一部を、外側マントルの内部に据えることができるような寸法にすることができる。他方、場合によっては、外側マントル１２をほとんど必要としないこともある。さらに、後装式兵器の砲身２に溝を設けて、支持体６を備えた迫撃弾１を砲身２内に装填すると、支持部材８に設けられているリムフランジ７がこの溝に嵌ることができるようにしてもよい。
【００１７】
支持リング９は、前面１６、後面１７及び中央穴１８を有する。中央穴１８には、内側ねじ１９が切られており、この内側ねじは、支持部材８のスリーブ１３内の外側ねじ１４に対応する。支持リング９は、スロットを有する突起３０によってガイドフィン５に対して位置決めすることができる。さらに、支持リング９の外周には、取付部材１０を位置決めするためのノッチ２０または他の位置決め要素を設けてもよい。また、ノッチ２０は、取付部材１０を所定位置に保持し、それによって支持体６の組み付けを容易にするように機能することができる。
【００１８】
図２及び図３に示された取付部材１０は、第１シャフト部分２１ａ及び第２シャフト部分２１ｂを有する長手シャフト２１を備えている。第１シャフト部分２１ａおよび第２シャフト部分２１ｂの前端部は、支持部分２２によって互いに接続されている。本例では、取付部材１０の前端部がループ形であって、図３に示されているようにガイドフィン５を取り囲むように配置することができる。従って、支持部分２２は、ガイドフィン５の前リム２３に当接するように配置される。第１シャフト部分２１ａ及び第２シャフト部分２１ｂの後端部には、１つまたは複数の横部分２４が設けられており、取付部材１０を所定位置に取り付けた後、横部分は、支持リング９の後面１７に当接した状態に支持され、また、第１シャフト部分２１ａ及び第２シャフト部分２１ｂは、ノッチ２０に嵌る。図２及び図３に示されているように、取付部材１０の支持部分２２の断面は、第１シャフト部分２１ａ及び第２シャフト部分２１ｂの断面より小さく構成されている。さらに、横部分２４は、剛直に構成される。これにより、取付部材１０の最も脆弱な点が支持部分２２内に位置することが保証される。迫撃弾１が撃発されると、ガイドフィン５の前リム２３が支持部分２２を破壊して、支持体６に属する材料は、ほとんどまったく迫撃弾１と共に放出されることがなく、放出されるようなことがあると、兵器の砲身２に損傷を与えるか、または迫撃弾１の軌道に影響を与える可能性がある。取付部材１０は、さらに、取付部材１０を迫撃弾の尾部４に当接した状態に支持するフラップ２５を有することができる。取付部材１０は、金属板から切断及び曲げ加工によって製造することができる。代替的には、取付部材は、金属で鋳造することもできる。さらに、取付部材１０は、例えば射出成形によってプラスチック材から作製してもよく、また、複合構造にしてもよい。取付部材１０は、必要な取り付け力に耐えるが、他方で、所定力の作用で破断するような寸法であり、それにより、撃発が行われる時に迫撃弾１を支持体６から離脱させることができる。
【００１９】
図３は、組み立てて尾部４に取り付けた支持体６を示している。分かり易くするために、図３には、撃発機構１５が示されていない。支持体６は、以下のようにして取り付けられる。最初に、支持リング９を所定位置に配置し、支持リングの第１面１６を尾筒３の後端部３１に当接させ、ガイドフィン５の後部分を支持リング９の突起３０のスロットに嵌め込む。このスロットは、組み立て中に、摩擦の作用によって支持リング９を所定位置に保持するような寸法にすることができる。次に、取付部材１０を所定位置に配置する。各取付部材１０は、隣接のガイドフィン５を取り囲むループを形成する。取付部材１０を支持リング９のノッチ２０に押し込むと、取付部材１０の後部分の横部分２４は、支持リング９の後面１７の側に載る。ノッチ２０は、組み立て中に、摩擦の作用によって取付部材１０を所定位置に保持するような寸法にすることができる。次に、撃発機構１５を支持部材８内に取り付けて、支持部材８を尾部４の後部分内に配置し、スリーブ１３を支持リング９の中央穴１８に置く。次に、支持部材８をその長手軸線を中心に回して進め、それによってスリーブ１３のねじ１４を中央穴１８のねじ１９にねじ込む。ねじ込み続けると、スリーブ１３の前リムが尾筒３の後端部３１に押し付けられて、支持リング９を後方へ引き始め、それによって取付部材１０が締め付けられる。これにより、支持体６の取り付けを調節して、迫撃弾１の軸方向の隙間をなくす。調節により、迫撃弾１及び支持体６のいずれの寸法または形状のずれも補償することができる。
【００２０】
一般的に、少なくとも２つの取付部材１０が設けられ、長手軸線Ａに関してほぼ対称的に配置され、それにより、取り付け力が均一に分散される。しかしながら、必要ならば、取付部材１０を２つ以上のほぼ対称的に形成されたシャフト部分２１及び支持部分２２を有する一体部品として形成してもよい。
【００２１】
支持リング９、支持部材８及び撃発機構１５は、通常、迫撃弾１を撃発するために数回使用することができる。取付部材１０だけは、撃発時に破損すると思われ、従って、各迫撃弾１用に交換される。
【実施例２】
【００２２】
図４は、支持体６を迫撃弾１のガイドフィン５に取り付ける第２解決策の上面図である。本実施形態では、取付部材１０の第１シャフト部分２１ａ及び第２シャフト部分２１ｂが前端部で互いに結合されておらず、各第１シャフト部分２１ａ及び第２シャフト部分２１ｂは、特別な横方向支持部分２２を有する。この場合も、ガイドフィン５は、一種のループで包囲されるが、そのループが閉じていない。撃発時に迫撃弾１がＢ方向に放出されると、第１シャフト部分２１ａ及び第２シャフト部分２１ｂは、破線２１ａ’で図示されているように、側方へ曲がるであろう。この場合、シャフト部分２１は、所定の大きさの力の作用で曲がるような形状寸法にすることができる。代替的に、図４に破線２２’で示されているように、支持部分２２をシャフト部分２１に対して曲げてもよい。分かり易くするために、図４及び図５は、迫撃弾１及び支持体６の他の構造を示していない。
【実施例３】
【００２３】
図５は、支持体６を迫撃弾１のガイドフィン５に取り付ける別の解決策の上面図である。この解決策では、取付部材１０の前端部は、シャフト２１及び横方向支持部分２２を有するほぼＴ字形になっている。そのような取付部材１０は、２つの隣接したガイドフィン５ａ及び５ｂ間に配置することができ、支持部分２２を各ガイドフィン５ａ及び５ｂの前リム２３ａ及び２３ｂに当接させる。この解決策では、変形可能な点は、支持部分２２内に配置されている。支持部分２２は、迫撃弾１の撃発時に曲がるか、または破断するような形状寸法である。支持部分２２は、例えば、図５に示された点４０で破断するように構成することができる。シャフト２１及びそれを支持部材８に取り付ける部分は、シャフト２１が決して迫撃弾１と一緒に放出されることがないような形状寸法になっている。
【００２４】
図面及び関連の説明は、発明的着想を説明することだけを意図している。発明の詳細は、特許請求の範囲内で変更することができる。従って、取付部材は、図示のような支持リングによるものではなく、別の方法で支持部材に接続してもよい。さらに、取付部材の後端部をねじなどによって支持リングまたは同様な部材に接続することができる。
【図面の簡単な説明】
【００２５】
【図１】本発明の支持体によって兵器の砲身内に支持された迫撃弾を示す概略図である。
【図２】部品を分解して示す本発明の構造の概略斜視図である。
【図３】図２の構造を組み立てて迫撃弾に取り付けた状態で示す概略図である。
【図４】本発明の第２取付部材の原理を示す概略図である。
【図５】本発明の第３取付部材の原理を示す概略図である。
【図１】
2005530982.tif 000003
【図４】
2005530982.tif 000004
【図５】
2005530982.tif 000005
【図２】
2005530982.tif 000006
【図３】
2005530982.tif 000007
【国際調査報告】
2005530982.tif 000008
2005530982.tif 000009